(57)【要約】【課題】犠牲陽極の消耗量を交換前に外部から確認可能なポンプを提供する。【解決手段】ポンプは、ポンプ本体と、ポンプ本体に取り付けられた犠牲陽極と、ポンプ本体の電位の変化を検知する電位センサと、を有している。犠牲陽極は、表面の一部が外部に露出された第１部分と、第１部分に対して前記露出された面とは反対側に配置された第２部分と、を有している。第１部分が腐食により消耗されることにより、第２部分の表面の一部が外部に露出されるようになっている。第２部分の表面の一部が外部に露出されたにおける犠牲陽極の溶出挙動は、第１部分の表面の一部が外部に露出された状態における犠牲陽極の溶出挙動とは異なる。【選択図】  図２
2018173032.tif 000002
【特許請求の範囲】
【請求項１】
ポンプ本体と、
前記ポンプ本体に取り付けられた犠牲陽極と、
前記ポンプ本体の電位の変化を検知する電位センサと、
を備え、
前記犠牲陽極は、表面の一部が外部に露出された第１部分と、前記第１部分に対して前記露出された面とは反対側に配置された第２部分と、を有し、
前記第１部分が腐食により消耗されることにより、前記第２部分の表面の一部が外部に露出されるようになっており、
前記第２部分の表面の一部が外部に露出された状態における犠牲陽極の溶出挙動は、前記第１部分の表面の一部が外部に露出された状態における犠牲陽極の溶出挙動とは異なる
ことを特徴とするポンプ。
【請求項２】
前記第１部分の外部に露出された面と平行な断面において、前記第２部分は、前記第１部分とは異なる断面積を有する
ことを特徴とする請求項１に記載のポンプ。
【請求項３】
前記第２部分は、前記第１部分とは異なる種類の金属からなる
ことを特徴とする請求項１または２に記載のポンプ。
【請求項４】
前記犠牲陽極は、前記第２部分に対して前記第１部分とは反対側に配置された第３部分をさらに有し、
前記第２部分が腐食により消耗されることにより、前記第３部分の表面の一部が外部に露出されるようになっており、
前記第３部分の表面の一部が外部に露出された状態における犠牲陽極の溶出挙動は、前記第２部分の表面の一部が外部に露出された状態における犠牲陽極の溶出挙動とは異なる
ことを特徴とする請求項１〜３のいずれかに記載のポンプ。
【請求項５】
前記第３部分の表面の一部が外部に露出された状態における犠牲陽極の溶出挙動は、前記第１部分の表面の一部が外部に露出された状態における犠牲陽極の溶出挙動と同じである
ことを特徴とする請求項４に記載のポンプ。
【請求項６】
前記第３部分は、前記第１部分と同じ種類の金属からなり、
前記第１部分の外部に露出された面と平行な断面において、前記第３部分は、前記第１部分と同じ断面積を有する
ことを特徴とする請求項５に記載のポンプ。
【請求項７】
前記電位センサの検知結果に基づいて、前記第１部分が消耗されて前記第２部分が露出されたこと、および前記第２部分が消耗されて前記第３部分が露出されたこと、を検出する情報処理部をさらに備え、
前記情報処理部は、前記第１部分が消耗されるまでの時間と、前記露出された面に対して垂直な腐食方向における前記第１部分の長さと、前記腐食方向における前記第３部分の長さと、に基づいて、前記第３部分が消耗されるまでの時間を予測する
ことを特徴とする請求項５または６に記載のポンプ。
【請求項８】
ポンプ本体に取り付けられた犠牲陽極の余寿命を予測する方法であって、
前記犠牲陽極は、表面の一部が外部に露出された第１部分と、前記第１部分に対して前記露出された面とは反対側に配置された第２部分と、前記第２部分に対して前記第１部分とは反対側に配置された第３部分と、を有し、
前記第１部分が腐食により消耗されることにより、前記第２部分の表面の一部が外部に露出されるようになっており、
前記第２部分が腐食により消耗されることにより、前記第３部分の表面の一部が外部に露出されるようになっており、
前記第２部分の表面の一部が外部に露出された状態における犠牲陽極の溶出挙動は、前記第１部分の表面の一部が外部に露出された状態における犠牲陽極の溶出挙動とは異なり、
前記第３部分の表面の一部が外部に露出された状態における犠牲陽極の溶出挙動は、前記第１部分の表面の一部が外部に露出された状態における犠牲陽極の溶出挙動と同じであり、
前記ポンプ本体の電位の変化を検知する電位センサの検知結果に基づいて、前記第１部分が消耗されて前記第２部分が露出されたこと、および前記第２部分が消耗されて前記第３部分が露出されたこと、を検出し、
前記第１部分が消耗されるまでの時間と、前記露出された面に対して垂直な腐食方向における前記第１部分の長さと、前記腐食方向における前記第３部分の長さとに基づいて、前記第３部分が消耗されるまでの時間を予測する
ことを特徴とする方法。
【請求項９】
ポンプ本体に取り付けられる犠牲陽極であって、
表面の一部が外部に露出された第１部分と、前記第１部分に対して前記露出された面とは反対側に配置された第２部分と、を有し、
前記第１部分が腐食により消耗されることにより、前記第２部分の表面の一部が外部に露出されるようになっており、
前記第２部分の表面の一部が外部に露出された状態における犠牲陽極の溶出挙動は、前記第１部分の表面の一部が外部に露出された状態における犠牲陽極の溶出挙動とは異なる
ことを特徴とする犠牲陽極。
【請求項１０】
前記第１部分の外部に露出された面と平行な断面において、前記第２部分は、前記第１部分とは異なる断面積を有する
ことを特徴とする請求項９に記載の犠牲陽極。
【請求項１１】
前記第２部分は、前記第１部分とは異なる種類の金属からなる
ことを特徴とする請求項９または１０に記載の犠牲陽極。
【請求項１２】
前記犠牲陽極は、前記第２部分に対して前記第１部分とは反対側に配置された第３部分をさらに有し、
前記第２部分が腐食により消耗されることにより、前記第３部分の表面の一部が外部に露出されるようになっており、
前記第３部分の表面の一部が外部に露出された状態における犠牲陽極の溶出速度は、前記第２部分の表面の一部が外部に露出された状態における犠牲陽極の溶出挙動とは異なる
ことを特徴とする請求項９〜１１のいずれかに記載の犠牲陽極。
【請求項１３】
前記第３部分の表面の一部が外部に露出された状態における犠牲陽極の溶出速度は、前記第１部分の表面の一部が外部に露出された状態における犠牲陽極の溶出挙動と同じである
ことを特徴とする請求項１２に記載の犠牲陽極。
【請求項１４】
前記第３部分は、前記第１部分と同じ種類の金属からなり、
前記第１部分の外部に露出された面と平行な断面において、前記第３部分は、前記第１部分と同じ断面積を有する
ことを特徴とする請求項１３に記載の犠牲陽極。
【発明の詳細な説明】
【技術分野】
【０００１】
本発明は、ポンプ、ポンプに取り付けられる犠牲陽極、犠牲陽極の余寿命予測方法に関する。
【背景技術】
【０００２】
一般に、ポンプ等の機器においては、各部品に要求される機能に応じて材料が選ばれるため、複数の異なった種類の材料が組み合わされて使用されることが多い。ところが、ポンプが、海水のように電気伝導度の高い溶液を扱う場合、電位が異なる材料どうしが海水を電解質とするマクロセルを構成し、電位が卑側の材料が異種金属接触腐食によって大きな被害を受けることがある。一方、電位が貴側の材料は腐食が抑制される。この腐食抑制現象を積極的に利用した防食法はカソード防食と呼ばれ、海水ポンプの防食にも利用されている。
【０００３】
カソード防食には、被防食体を、その自然電位よりも卑な金属を接続して防食する方法（流電陽極法または犠牲陽極法）と、外部電源（直流電源）と補助アノード（不溶性または難溶性アノード）を用い、被防食体にカソード電流を流し込んで防食する方法（外部電源法）とが知られている。前者の方法では、犠牲陽極が腐食により消耗されるので、定期的に犠牲陽極を交換する必要があるが、犠牲陽極の消耗量を交換前に外部から確認することはできないので、犠牲陽極がだいぶ残っている状態で交換することになったり、犠牲陽極が無くなった後で交換することになったりする可能性があった。
【０００４】
ところで、特許文献１および２には、実際に稼働しているポンプおよび配管を模した状況で実験を行い、その結果から実際に稼働しているポンプおよび配管における腐食の発生状況を推定する方法が提案されている。しかしながら、特許文献１および２では、犠牲陽極については何も言及されていない。特許文献３には、犠牲陽極の温度を制御して長寿命化を図ることが提案されているものの、犠牲陽極の消耗量を交換前に外部から確認することはできないので、依然として、犠牲陽極がだいぶ残っている状態で交換することになったり、犠牲陽極が無くなった後で交換することになったりする可能性があった。
【先行技術文献】
【特許文献】
【０００５】
【特許文献１】特開平１１−１１８７０３号公報
【特許文献２】特開２０００−４６７７８号公報
【特許文献３】特開２０１５−６３７３４号公報
【発明の概要】
【発明が解決しようとする課題】
【０００６】
本発明は、犠牲陽極の消耗量を交換前に外部から確認可能なポンプを提供することを目的とする。
【課題を解決するための手段】
【０００７】
本発明によるポンプは、
ポンプ本体と、
前記ポンプ本体に取り付けられた犠牲陽極と、
前記ポンプ本体の電位の変化を検知する電位センサと、
を備え、
前記犠牲陽極は、表面の一部が外部に露出された第１部分と、前記第１部分に対して前記露出された面とは反対側に配置された第２部分と、を有し、
前記第１部分が腐食により消耗されることにより、前記第２部分の表面の一部が外部に露出されるようになっており、
前記第２部分の表面の一部が外部に露出された状態における犠牲陽極の溶出挙動は、前記第１部分の表面の一部が外部に露出された状態における犠牲陽極の溶出挙動とは異なる。
【０００８】
本発明によれば、犠牲陽極の第１部分が腐食により消耗されることにより、第２部分の表面の一部が外部に露出されるようになっており、第２部分の表面の一部が外部に露出された状態における犠牲陽極の溶出挙動は、第１部分の表面の一部が外部に露出された状態における犠牲陽極の溶出挙動とは異なるため、第１部分が溶液中に露出されている時と第１部分が消耗されて第２部分が溶液中に露出されている時とでは、ポンプ本体の電位が異なる。したがって、第１部分が消耗されて第２部分が露出されたこと、すなわち犠牲陽極の消耗量を、電位センサの検知結果に基づいて外部から確認することができる。これにより、適切なタイミングで犠牲陽極を交換することが可能となる。
【０００９】
本発明によるポンプにおいて、
前記第１部分の外部に露出された面と平行な断面において、前記第２部分は、前記第１部分とは異なる断面積を有してもよい。
【００１０】
このような態様によれば、第２部分の表面の一部が外部に露出された状態における犠牲陽極の溶出挙動を、第１部分の表面の一部が外部に露出された状態における犠牲陽極の溶出挙動と異ならせることができる。
【００１１】
本発明によるポンプにおいて、
前記第２部分は、前記第１部分とは異なる種類の金属からなってもよい。
【００１２】
このような態様によっても、第２部分の表面の一部が外部に露出された状態における犠牲陽極の溶出挙動を、第１部分の表面の一部が外部に露出された状態における犠牲陽極の溶出挙動と異ならせることができる。
【００１３】
本発明によるポンプにおいて、
前記犠牲陽極は、前記第２部分に対して前記第１部分とは反対側に配置された第３部分をさらに有し、
前記第２部分が腐食により消耗されることにより、前記第３部分の表面の一部が外部に露出されるようになっており、
前記第３部分の表面の一部が外部に露出された状態における犠牲陽極の溶出挙動は、前記第２部分の表面の一部が外部に露出された状態における犠牲陽極の溶出挙動とは異なってもよい。
【００１４】
このような態様によれば、第１部分が消耗されて第２部分が露出されたことに加えて、第２部分が消耗されて第３部分が露出されたことも、電位センサの検知結果に基づいて外部から確認することができる。すなわち犠牲陽極の消耗量を２段階で外部から確認することができる。これにより、たとえば１段階目の確認ではポンプを停止せずに交換用の犠牲陽極の手配を行い、２段階目の確認ではポンプを停止して犠牲陽極の交換作業を行うなど、より適切なタイミングで犠牲陽極を交換することが可能となる。
【００１５】
本発明によるポンプにおいて、
前記第３部分の表面の一部が外部に露出された状態における犠牲陽極の溶出挙動は、前記第１部分の表面の一部が外部に露出された状態における犠牲陽極の溶出挙動と同じであってもよい。
【００１６】
このような態様によれば、第１部分の消耗速度と第３部分の消耗速度が同じになるので、第１部分が消耗されるまでの時間と、露出された面に対して垂直な腐食方向における第１部分の長さと、腐食方向における第３部分の長さと、に基づいて、第３部分が消耗されるまでの時間、すなわち第３部分の余寿命を予測することが可能となる。
【００１７】
本発明によるポンプにおいて、
前記第３部分は、前記第１部分と同じ種類の金属からなり、
前記第１部分の外部に露出された面と平行な断面において、前記第３部分は、前記第１部分と同じ断面積を有してもよい。
【００１８】
このような態様によれば、第３部分の表面の一部が外部に露出された状態における犠牲陽極の溶出挙動を、第１部分の表面の一部が外部に露出された状態における犠牲陽極の溶出挙動と同じにすることができる。
【００１９】
本発明によるポンプは、
前記電位センサの検知結果に基づいて、前記第１部分が消耗されて前記第２部分が露出されたこと、および前記第２部分が消耗されて前記第３部分が露出されたこと、を検出する情報処理部をさらに備え、
前記情報処理部は、前記第１部分が消耗されるまでの時間と、前記露出された面に対して垂直な腐食方向における前記第１部分の長さと、前記腐食方向における前記第３部分の長さと、に基づいて、前記第３部分が消耗されるまでの時間を予測してもよい。
【００２０】
このような態様によれば、情報処理部の動作により、第３部分が消耗されるまでの時間、すなわち第３部分の余寿命を自動的に予測することが可能である。
【００２１】
本発明による犠牲陽極の余寿命予測方法は、
ポンプ本体に取り付けられた犠牲陽極の余寿命を予測する方法であって、
前記犠牲陽極は、表面の一部が外部に露出された第１部分と、前記第１部分に対して前記露出された面とは反対側に配置された第２部分と、前記第２部分に対して前記第１部分とは反対側に配置された第３部分と、を有し、
前記第１部分が腐食により消耗されることにより、前記第２部分の表面の一部が外部に露出されるようになっており、
前記第２部分が腐食により消耗されることにより、前記第３部分の表面の一部が外部に露出されるようになっており、
前記第２部分の表面の一部が外部に露出された状態における犠牲陽極の溶出挙動は、前記第１部分の表面の一部が外部に露出された状態における犠牲陽極の溶出挙動とは異なり、
前記第３部分の表面の一部が外部に露出された状態における犠牲陽極の溶出挙動は、前記第１部分の表面の一部が外部に露出された状態における犠牲陽極の溶出挙動と同じであり、
前記ポンプ本体の電位の変化を検知する電位センサの検知結果に基づいて、前記第１部分が消耗されて前記第２部分が露出されたこと、および前記第２部分が消耗されて前記第３部分が露出されたこと、を検出し、
前記第１部分が消耗されるまでの時間と、前記露出された面に対して垂直な腐食方向における前記第１部分の長さと、前記腐食方向における前記第３部分の長さとに基づいて、前記第３部分が消耗されるまでの時間を予測する。
【００２２】
本発明による犠牲陽極は、
前記ポンプ本体に取り付けられる犠牲陽極であって、
表面の一部が外部に露出された第１部分と、前記第１部分に対して前記露出された面とは反対側に配置された第２部分と、を有し、
前記第１部分が腐食により消耗されることにより、前記第２部分の表面の一部が外部に露出されるようになっており、
前記第２部分の表面の一部が外部に露出された状態における犠牲陽極の溶出挙動は、前記第１部分の表面の一部が外部に露出された状態における犠牲陽極の溶出挙動とは異なる。
【００２３】
本発明による犠牲陽極において、
前記第１部分の外部に露出された面と平行な断面において、前記第２部分は、前記第１部分とは異なる断面積を有してもよい。
【００２４】
本発明による犠牲陽極において、
前記第２部分は、前記第１部分とは異なる種類の金属からなってもよい。
【００２５】
本発明による犠牲陽極において、
前記犠牲陽極は、前記第２部分に対して前記第１部分とは反対側に配置された第３部分をさらに有し、
前記第２部分が腐食により消耗されることにより、前記第３部分の表面の一部が外部に露出されるようになっており、
前記第３部分の表面の一部が外部に露出された状態における犠牲陽極の溶出挙動は、前記第２部分の表面の一部が外部に露出された状態における犠牲陽極の溶出挙動とは異なってもよい。
【００２６】
本発明による犠牲陽極において、
前記第３部分の表面の一部が外部に露出された状態における犠牲陽極の溶出挙動は、前記第１部分の表面の一部が外部に露出された状態における犠牲陽極の溶出挙動と同じであってもよい。
【００２７】
本発明による犠牲陽極において、
前記第３部分は、前記第１部分と同じ種類の金属からなり、
前記第１部分の外部に露出された面と平行な断面において、前記第３部分は、前記第１部分と同じ断面積を有してもよい。
【発明の効果】
【００２８】
本発明によれば、犠牲陽極の消耗量を交換前に外部から確認可能なポンプを提供できる。
【図面の簡単な説明】
【００２９】
【図１】図１は、一実施の形態によるポンプの構造を示す概略図である。
【図２】図２は、図１に示すポンプが備える犠牲陽極の断面図である。
【図３】図３は、図２に示す犠牲陽極の第１部分が消耗されて第２部分が露出された状態を説明するための図である。
【図４】図４は、図２に示す犠牲陽極の第２部分が消耗されて第３部分が露出された状態を説明するための図である。
【図５】図５は、経過時間と電位との関係を説明するためのグラフである。
【図６】図６は、図２に対応する図面であって、犠牲陽極の変形例を示す断面図である。
【図７】図７は、図２に対応する図面であって、犠牲陽極の変形例を示す断面図である。
【発明を実施するための形態】
【００３０】
以下に、添付の図面を参照して、一実施の形態による先行待機運転ポンプを詳細に説明する。なお、本明細書に添付する図面においては、図示の理解のしやすさの便宜上、適宜縮尺および縦横の寸法比等を、実物のそれらから変更し誇張してある。
【００３１】
図１は、一実施の形態によるポンプの構造を示す概略図である。本実施の形態のポンプは、海水などの高い電気伝導度の溶液を送るためのポンプである。
【００３２】
図１に示すように、ポンプ１０は、ポンプ本体１１と、ポンプ本体１１に取り付けられた犠牲陽極２０と、ポンプ本体１１の電位の変化を検知する電位センサ１５と、を備えている。
【００３３】
このうちポンプ本体１１は、インペラ１２と、インペラ１２を収容するケーシング１３とを有している。
【００３４】
図１に示すように、ケーシング１３は、軸方向に延びる筒形状を有しており、ケーシング１３の内部には回転軸１８が回転可能に挿設されている。インペラ１２は、回転軸１８の下端部に同軸状に固定されている。
【００３５】
回転軸１８の上端部には原動機１９が取り付けられており、原動機１９から出力される駆動力によってインペラ１２と回転軸１８とが一体に回転される。インペラ１２の回転によりケーシング１３内の流体が流動されることで、ケーシング１３の上端部から流体が吐き出されるとともに、ケーシング１３の下端部から新たな液体が吸い込まれるようになっている。
【００３６】
本実施の形態では、図１に示すように、ケーシング１３は、インペラ１２が格納された本体部と、本体部の下方に配置された吸込ベルとを有している。本体部と吸込ベルとは、フランジで連結されている。
【００３７】
例えば、ケーシング１３のうち本体部の材質は、鋳鉄であり、インペラ１２および吸込ベルの材質は、ステンレス鋼である。この場合、ケーシング１３の本体部の自然電位は吸込ベルの自然電位より卑であるため、海水などの電気伝導度の高い溶液をポンプ１０が取り扱う場合、ケーシング１３の本体部には異種金属接触腐食（ガルバニック腐食）が発生する可能性がある。
【００３８】
このような問題を解決するために、本実施の形態では、ケーシング１３の本体部に犠牲陽極２０が取り付けられている。犠牲陽極２０は、ケーシング１３の本体部より電位が卑側の金属からなる。犠牲陽極２０が溶液と反応して腐食することにより、ケーシング１３の本体部の電位が卑側へ移行し、ケーシング１３の本体部は腐食しにくくなる。
【００３９】
次に、犠牲陽極２０の構造について詳しく説明する。図２は、犠牲陽極２０の断面図である。
【００４０】
図２に示すように、犠牲陽極２０は、表面の一部２１ａが外部に露出された第１部分２１と、第１部分２１に対して前記露出された面２１ａとは反対側に配置された第２部分２２と、を有している。図示された例では、第１部分２１と第２部分２２とは同じ種類の金属からなる。第１部分２１が腐食により消耗されることにより、第２部分２２の表面の一部２２ａが外部に露出されるようになっている（図３参照）。
【００４１】
なお、第１部分２１が腐食により消耗されることにより、第２部分２２の表面の一部２２ａが外部に露出されるようになっている限りでは、第１部分２１と第２部分２２とは一体であってもよいし、別体であってもよい。第１部分２１と第２部分２２とが別体である場合には、第１部分２１と第２部分２２とが密着していてもよいし、第１部分２１と第２部分２２の間に隙間が空けられていてもよい。
【００４２】
本実施の形態では、図２に示すように、第１部分２１の外部に露出された面２１ａと平行な断面において、第２部分２２は、第１部分２１とは異なる断面積を有している。図示された例では、第１部分２１の外部に露出された面２１ａと平行な断面において、第２部分２２は、第１部分２１より小さい断面積を有しているが、第１部分２１より大きい断面積を有していてもよい。
【００４３】
第２部分２２が第１部分２１とは異なる断面積を有しているため、第２部分２２の表面の一部２２ａが外部に露出された状態における犠牲陽極２０の溶出挙動は、第１部分２１の表面の一部２１ａが外部に露出された状態における犠牲陽極２０の溶出挙動とは異なるようになっており、第１部分２１が溶液中に露出されている時と第１部分２１が消耗されて第２部分２２が溶液中に露出されている時とでは、ケーシング１３の本体部の電位が異なるようになっている。犠牲陽極２０の溶出挙動は、犠牲陽極のアノード分極曲線と被防食対象であるケーシングのカソード分極曲線、溶液の抵抗等により変化するが、ここでは、溶液中に露出する犠牲陽極の面積変化に伴う犠牲陽極のアノード分極曲線の変化により、第１部分２１が溶液中に露出されている時と第１部分２１が消耗されて第２部分２２が溶液中に露出されている時とで溶出挙動が異なる。
【００４４】
図示された例では、第１部分２１と第２部分２２とが同じ種類の金属からなり、第２部分２２が第１部分２１より小さい断面積を有しているため、第２部分２２の表面の一部２２ａが外部に露出された状態における犠牲陽極２０の溶出速度は、第１部分２１の表面の一部２１ａが外部に露出された状態における犠牲陽極２０の溶出速度より大きい。したがって、第１部分２１が消耗されて第２部分２２が溶液中に露出されている時のケーシング１３の本体部の電位は、第１部分２１が溶液中に露出されている時のケーシング１３の本体部の電位より大きくなる。
【００４５】
図２に示すように、本実施の形態の犠牲陽極２０は、第２部分２２に対して第１部分２１とは反対側に配置された第３部分２３をさらに有している。図示された例では、第２部分２２と第３部分２３とは同じ種類の金属からなる。第２部分２２が腐食により消耗されることにより、第３部分２３の表面の一部２３ａが外部に露出されるようになっている（図４参照）。
【００４６】
なお、第２部分２２が腐食により消耗されることにより、第３部分２３の表面の一部２３ａが外部に露出されるようになっている限りでは、第２部分２２と第３部分２３とは一体であってもよいし、別体であってもよい。第２部分２２と第３部分２３とが別体である場合には、第２部分２２と第３部分２３とが密着していてもよいし、第２部分２２と第３部分２３の間に隙間が空けられていてもよい。
【００４７】
本実施の形態では、図２に示すように、第１部分２１の外部に露出された面２１ａと平行な断面において、第３部分２３は、第２部分２２とは異なる断面積を有している。図示された例では、第１部分２１の外部に露出された面２１ａと平行な断面において、第３部分２３は、第２部分２２より大きい断面積を有しているが、第２部分２２より小さい断面積を有していてもよい。
【００４８】
第３部分２３が第２部分２２とは異なる断面積を有しているため、第３部分２３の表面の一部２３ａが外部に露出された状態における犠牲陽極２０の溶出挙動は、第２部分２２の表面の一部２２ａが外部に露出された状態における犠牲陽極２０の溶出挙動とは異なるようになっており、第２部分２２が溶液中に露出されている時と第２部分２２が消耗されて第３部分２３が溶液中に露出されている時とでは、ケーシング１３の本体部の電位が異なるようになっている。
【００４９】
図示された例では、第２部分２２と第３部分２３とが同じ種類の金属からなり、第３部分２３が第２部分２２より大きい断面積を有しているため、第３部分２３の表面の一部２３ａが外部に露出された状態における犠牲陽極２０の溶出速度は、第２部分２２の表面の一部２２ａが外部に露出された状態における犠牲陽極２０の溶出速度より小さい。したがって、第２部分２２が消耗されて第３部分２３が溶液中に露出されている時のケーシング１３の本体部の電位は、第２部分２２が溶液中に露出されている時のケーシング１３の本体部の電位より小さくなる。
【００５０】
さらに、本実施の形態では、図２に示すように、第３部分２３は、第１部分２１と同じ種類の金属からなり、第１部分２１の外部に露出された面２１ａと平行な断面において、第３部分２３は、第１部分２１と同じ断面積を有している。そのため、第３部分２３の表面の一部２３ａが外部に露出された状態における犠牲陽極２０の溶出挙動は、第１部分２１の表面の一部２１ａが外部に露出された状態における犠牲陽極２０の溶出挙動と同じになっている。
【００５１】
第１部分２１、第２部分２２および第３部分２３に用いられる金属は、ケーシング１３の本体部より自然電位が卑な金属の中から適宜選択され得る。たとえば、ケーシング１３の本体部が鋳鉄からなる場合には、第１部分２１、第２部分２２および第３部分２３の金属としてアルミニウムや亜鉛などが用いられる。
【００５２】
本実施の形態では、図１に示すように、犠牲陽極２０のうち第１部分２１の外部に露出する面２１ａ以外は、ポンプ１０が取り扱う液体に対して不溶性または難溶性の樹脂２５により覆われている。なお、図示していないが、第１部分２１、第２部分２２、第３部分２３とケーシング１３とは電気的に接続されている。
【００５３】
図１に示すように、電位センサ１５は、ケーシング１３の本体部に取り付けられており、ケーシング１３の本体部の電位変化を検知するようになっている。
【００５４】
図５は、電位センサ１５の検知結果の一例を示している。本実施の形態では、第２部分２２の表面の一部２２ａが外部に露出された状態における犠牲陽極２０の溶出速度が、第１部分２１の表面の一部２１ａが外部に露出された状態における犠牲陽極２０の溶出速度より大きいため、経過時間Ｔ１において第１部分２１が消耗されて第２部分２２が露出されると、ケーシング１３の本体部の電位がＥ１からＥ２へと変化する。また、第３部分２３の表面の一部２３ａが外部に露出された状態における犠牲陽極２０の溶出速度が、第１部分２１の表面の一部２１ａが外部に露出された状態における犠牲陽極２０の溶出速度と同じであるため、経過時間Ｔ２において第２部分２２が消耗されて第３部分２３が露出されると、ケーシング１３の本体部の電位がＥ２からＥ１へと再び変化する。
【００５５】
図１に示すように、本実施の形態によるポンプ１０は、電位センサ１５に通信接続された情報処理部１６をさらに備えている。情報処理部１６は、例えばＣＰＵやメモリを備えたコンピュータにより実現され得る。情報処理部１６は、たとえば地上に設置されており、電位センサ１５の検知結果を無線または有線で取得するようになっている。
【００５６】
次に、情報処理部１６の動作について説明する。
【００５７】
情報処理部１６は、電位センサ１５の検知結果に基づいて、第１部分２１が消耗されて第２部分２２が露出されたことを検出する。具体的には、電位センサ１５の検知結果（図５参照）において、ケーシング１３の本体部の電位がＥ１からＥ２へと変化したこと、たとえば電位の変化量があらかじめ定められた閾値を超えたことを検出することで、第１部分２１が消耗されて第２部分２２が露出されたことを判断する。
【００５８】
また、情報処理部１６は、電位センサ１５の検知結果に基づいて、第２部分２２が消耗されて第３部分２３が露出されたことを検出する。具体的には、電位センサ１５の検知結果（図５参照）において、ケーシング１３の本体部の電位がＥ２からＥ１へと変化したこと、たとえば電位の変化量があらかじめ定められた閾値を超えたことを検出することで、第２部分２２が消耗されて第３部分２３が露出されたことを判断する。
【００５９】
次いで、情報処理部１６は、第１部分２１が消耗されるまでの時間Ｔ１（図５参照）と、第１部分２１の外部に露出された面２１ａに対して垂直な腐食方向（図２に示す例では上下方向）における第１部分２１の長さＤ１と、当該腐食方向における第３部分２３の長さＤ２と、に基づいて、第３部分２３が消耗されるまでの時間Ｔ２（図５参照）を予測する。
【００６０】
具体的には、本実施の形態では、第３部分２３の表面の一部２３ａが外部に露出された状態における犠牲陽極２０の溶出挙動が、第１部分２１の表面の一部２１ａが外部に露出された状態における犠牲陽極２０の溶出挙動と同じであるから、第１部分２１の消耗速度と第３部分２３の消耗速度は同じである。したがって、情報処理部１６は、第１部分２１が消耗されるまでの時間Ｔ１と、腐食方向における第１部分２１の長さＤ１と、腐食方向における第３部分２３の長さＤ２と、に基づいて、Ｔ２＝（Ｄ２／Ｄ１）×Ｔ１の数式により、第３部分２３が消耗されるまでの時間Ｔ２、すなわち第３部分２３の余寿命を予測する。
【００６１】
ところで、背景技術の欄でも言及したように、被防食体をその自然電位よりも卑な金属（犠牲陽極）を接続して防食する方法（流電陽極法または犠牲陽極法）では、犠牲陽極が腐食により消耗されるので、定期的に犠牲陽極を交換する必要があるが、従来は、犠牲陽極の消耗量を交換前に外部から確認することはできないので、犠牲陽極がだいぶ残っている状態で交換することになったり、犠牲陽極が無くなった後で交換することになったりする可能性があった。
【００６２】
一方、本実施の形態によれば、犠牲陽極２０の第１部分２１が腐食により消耗されることにより、第２部分２２の表面の一部２２ａが外部に露出されるようになっており、第２部分２２の表面の一部２２ａが外部に露出された状態における犠牲陽極２０の溶出挙動は、第１部分２１の表面の一部２１ａが外部に露出された状態における犠牲陽極２０の溶出挙動とは異なるため、第１部分２１が溶液中に露出されている時と第１部分２１が消耗されて第２部分２２が溶液中に露出されている時とでは、ケーシング１３の本体部の電位が異なる。したがって、第１部分２１が消耗されて第２部分２２が露出されたこと、すなわち犠牲陽極２０の消耗量を、電位センサ１５の検知結果に基づいて外部から確認することができる。これにより、適切なタイミングで犠牲陽極２０を交換することが可能となる。
【００６３】
また、本実施の形態によれば、第１部分２１が消耗されて第２部分２２が露出されたことに加えて、第２部分２２が消耗されて第３部分２３が露出されたことを、電位センサ１５の検知結果に基づいて外部から確認することができる。すなわち犠牲陽極２０の消耗量を２段階で外部から確認することができる。これにより、たとえば１段階目の確認ではポンプ１０を停止せずに交換用の犠牲陽極２０の発注などの手配を行い、２段階目の確認ではポンプ１０を停止して犠牲陽極２０の交換作業を行うなど、より適切なタイミングで犠牲陽極２０を交換することが可能となる。
【００６４】
また、本実施の形態によれば、第３部分２３の表面の一部２３ａが外部に露出された状態における犠牲陽極２０の溶出挙動が、第１部分２１の表面の一部２１ａが外部に露出された状態における犠牲陽極２０の溶出挙動と同じであるため、第１部分２１の消耗速度と第３部分２３の消耗速度が同じになる。これにより、第１部分２１が消耗されるまでの時間Ｔ１と、腐食方向における第１部分２１の長さＤ１と、腐食方向における第３部分２３の長さＤ２と、に基づいて、第３部分２３が消耗されるまでの時間Ｔ２、すなわち第３部分２３の余寿命を予測することが可能となる。
【００６５】
なお、上述した実施の形態では、図２に示すように、第１部分２１の外部に露出された面２１ａと平行な断面において、第２部分２２が第１部分２１とは異なる断面積を有していたが、第２部分２２の表面の一部２２ａが外部に露出された状態における犠牲陽極２０の溶出挙動を、第１部分２１の表面の一部２１ａが外部に露出された状態における犠牲陽極２０の溶出挙動とは異ならせることができる限りでは、上述した態様に限定されない。
【００６６】
図６は、図２に対応する図面であって、犠牲陽極２０の変形例を示す断面図である。
【００６７】
図６に示す例では、第２部分２２’は、第１部分２１とは異なる種類の金属からなっている。また、第１部分２１の外部に露出された面２１ａと平行な断面において、第２部分２２’は、第１部分２１と同じ断面積を有している。この場合も、第２部分２２’の表面の一部が外部に露出された状態における犠牲陽極２０の溶出挙動を、第１部分２１の表面の一部２１ａが外部に露出された状態における犠牲陽極２０の溶出挙動とは異ならせることができる。犠牲陽極２０の溶出挙動は、犠牲陽極のアノード分極曲線と被防食対象であるケーシングのカソード分極曲線、溶液の抵抗等により変化するが、ここでは、溶液中に露出する犠牲陽極の材質変化に伴う犠牲陽極のアノード分極曲線の変化により、第１部分２１が溶液中に露出されている時と第１部分２１が消耗されて第２部分２２が溶液中に露出されている時とで溶出挙動が異なる。
【００６８】
図７は、図２に対応する図面であって、犠牲陽極２０の他の変形例を示す断面図である。
【００６９】
図７に示す例では、第２部分２２’’は、第１部分２１の外部に露出された面２１ａと平行な断面において、第１部分２１との境界から徐々に面積が減少する形状を有しており、また、第３部分２３との境界に向かって徐々に面積が増加する形状を有している。第１部分２１の外部に露出された面２１ａと平行な断面において、第２部分２２’’は、第１部分２１との境界において第１部分２１と同じ断面積を有しており、第３部分２３との境界において第３部分２３と同じ断面積を有している。犠牲陽極２０の溶出挙動は、第２部分２２’’が溶液中に露出されている間徐々に変化していくため、ケーシング１３の電位変化を検出することができる。
【００７０】
なお、上述した実施の形態では、犠牲陽極２０および電位センサ１５が、ケーシング１３の本体部に取り付けられて、ケーシング１３の本体部が防食される例を説明したが、これに限定されず、犠牲陽極２０および電位センサ１５が、ケーシング１３の吸込ベルに取り付けられて、ケーシング１３の吸込ベルが防食されてもよいし、犠牲陽極２０および電位センサ１５が、インペラ１２に取り付けられて、インペラ１２が防食されてもよい。また、犠牲陽極２０および電位センサ１５が、ポンプ本体１１の図示しない軸受に取り付けられて、当該軸受が防食されてもよい。また、図２、図７の例では第１部分とは異なる形状の第２部分を、図６の例では第１部分とは材質の異なる第２部分を例に説明したが、第１部分とは形状も材質も異なる第２部分を用いることもできる。
【符号の説明】
【００７１】
１０    ポンプ
１１    ポンプ本体
１２    インペラ
１３    ケーシング
１５    電位センサ
１６    情報処理部
１８    回転軸
１９    原動機
２０    犠牲陽極
２１    第１部分
２１ａ  第１部分の外部に露出する面
２２    第２部分
２２ａ  第２部分の外部に露出する面
２３    第３部分
２３ａ  第３部分の外部に露出する面
２５    樹脂
【図１】
2018173032.tif 000003
【図２】
2018173032.tif 000004
【図３】
2018173032.tif 000005
【図４】
2018173032.tif 000006
【図５】
2018173032.tif 000007
【図６】
2018173032.tif 000008
【図７】
2018173032.tif 000009